(57)【特許請求の範囲】
【請求項１】
各文字の入力を操作入力部に配置されたＮ個のキーを用いて各文字に対応して定められた第１と第２のタッチ・キーによる２回のキータッチ操作により行う２ストローク方式の文字入力装置であって、
前記操作入力部には、入力文字と第１と第２のタッチ・キーとの対応関係を示す入力文字コード表において同一の第１のタッチ・キーに設定された各入力文字群毎に、それらの文字を示す文字ラベルが該設定された第１タッチ・キーに相当するキーの上面または近傍にＮ個ずつ配置されると共に、
前記Ｎ個の文字ラベルの配置における各文字ラベルの位置を前記Ｎ個のキー全体の配置における各入力文字の第２タッチ・キーに相当するキーの位置に対応させ、前記文字ラベルに示される入力文字に対応して定められた一連のタッチ・キーが全て同一のキーである入力文字を示す文字ラベルが、他の文字ラベルより強調するように表示されたことを特徴とする文字入力装置。
【請求項２】
請求項１に記載の文字入力装置における文字入力方法であって、
最初に、入力すべき文字を示す文字ラベルを含むＮ個の文字ラベルが配置されたキーを第１タッチ・キーとしてキータッチ操作し、
次いで、Ｎ個のキー全体の配置における、前記Ｎ個の文字ラベルの配置における前記入力すべき文字を示す文字ラベルの位置に対応する位置のキーを第２タッチ・キーとしてキータッチ操作することにより文字入力することを特徴とする文字入力方法。
【請求項３】
各文字の入力を操作入力部に配置されたＮ個のキーを用いて各文字に対応して定められた第１と第２と第３のタッチ・キーによる３回のキータッチ操作により行う３ストローク方式の文字入力装置であって、
入力文字と第１と第２と第３のタッチ・キーとの対応関係を示す入力文字コード表における各入力文字を示す文字ラベルが各入力文字の第１タッチ・キーに相当するキーの上面または近傍にＮ×Ｎ個ずつ配置されると共に、
前記Ｎ×Ｎ個の文字ラベルの配置における各文字ラベルの位置が前記Ｎ個のキー全体の配置における各入力文字の第２タッチ・キーに相当するキーの位置に対応させてＮ個ずつまとめて配置されると共に、
更に前記Ｎ個の文字ラベルの配置における各文字ラベルの位置を前記Ｎ個のキー全体の配置における各入力文字の第３タッチ・キーに相当するキーの位置に対応させたことを特徴とする文字入力装置。
【請求項４】
請求項３に記載の文字入力装置における文字入力方法であって、
最初に、入力すベき文字を示す文字ラベルを含むＮ×Ｎ個の文字ラベルが配置されたキーを第１タッチ・キーとしてキータッチ操作し、
次いで、Ｎ個のキー全体の配置における、前記Ｎ×Ｎ個の文字ラベルの配置における前記入力すベき文字を示す文字ラベルを含むＮ個の文字ラベルの位置に対応する位置のキーを第２タッチ・キーとしてキータッチ操作し、
最後に、Ｎ個のキー全体の配置における、前記Ｎ個の文字ラベルの配置における前記入力すベき文字を示す文字ラベルの位置に対応する位置のキーを第３タッチ・キーとしてキータッチ操作することにより文字入力することを特徴とする文字入力方法。
【請求項５】
各キーに配置される文字ラベルにおいて、
前記文字ラベルに示される入力文字に対応して定められた一連のタッチ・キーが全て同一のキーである入力文字を示す文字ラベルが、他の文字ラベルより強調するように表示されたことを特徴とする請求項３に記載の文字入力装置。
【発明の詳細な説明】
【０００１】
【発明の属する技術分野】
本発明は、携帯情報端末や音楽用ＭＤ（ミニディスク）レコーダ等に使用するに好適な、マルチストローク方式の文字入力装置における文字入力方法及び文字入力装置に関する。
【０００２】
【従来の技術】
図１に示す携帯電話装置１等の携帯情報端末における操作入力部１０６は、携帯用という性格上、小型であり、実装面での制約から文字入力のためのキーの数が少なく、そのため効率的な文字入力が難しいという問題がある。
【０００３】
携帯電話装置等において使用されている従来からある代表的な文字入力方法として図２に示す方法がある。同図において、各数字キーに複数の文字を予め割り当てておき、入力する文字の種類（ひらがな、カタカナ、英字、数字等）に対し、必要に応じて「文字」キーを１又は複数回押して文字種モードを切替え、所望の文字のラベルが配置された数字キーを所望の文字が現れるまで１又は複数回続けて押すことにより文字入力を行う方法である。
【０００４】
例えば、か行の何れかの文字を入力するには、必要に応じて「文字」キーを１又は複数回押して「ひらがなモード」を選択してから、「か」の文字ラベルが配置された数字キー「２」を続けて１回乃至５回押す。
すなわち、
文字「か」を入力するには、数字キー「２」を続けて１回押す（「２」）。
文字「き」を入力するには、数字キー「２」を続けて２回押す（「２２」）。
文字「く」を入力するには、数字キー「２」を続けて３回押す（「２２２」）。
文字「け」を入力するには、数字キー「２」を続けて４回押す（「２２２２」）。
文字「こ」を入力するには、数字キー「２」を続けて５回押す（「２２２２２」）。
【０００５】
あるいは、Ａ，Ｂ，Ｃの何れかの文字を入力するには、必要に応じて「文字」キーを１又は複数回押して「英字モード」を選択してから、
「ＡＢＣ」の文字ラベルが配置された数字キー「２」を続けて１回乃至３回押す。
すなわち、
文字「Ａ」を入力するには、数字キー「２」を続けて１回押す（「２」）。
文字「Ｂ」を入力するには、数字キー「２」を続けて２回押す（「２２」）。
文字「Ｃ」を入力するには、数字キー「２」を続けて３回押す（「２２２」）。
【０００６】
【発明が解決しようとする課題】
上記の方法の不便な点としては、「ひらがなモード」の場合のように、ひとつの数字キーに５個の文字を割り当てている場合には、１文字を入力するのに平均で３回のキータッチが必要である。これはキーの数（＝１０）との兼ね合いにもなるが、若干多いと思われる。極端な話、５０個のキーがあれば、１回のキータッチで済むが、実装上無理である。ここで、「キータッチ」とは、本明細書ではキーをタッチする動作をいい、「タッチ・キー」とは、タッチの対象となるキーをいうものとする。
【０００７】
また、１文字を入力するための、キータッチの回数が一定ではないため、同じキーに割当てられた文字を続けて入力したい場合には、文字を区切るために、なんらかの別のキーを押す必要がある。例えば、「かく」と入力する際に「２２２２」とキーを押すだけでは、「け」が入力されてしまう。そのため「２」とキーを押した後に、機種によって定められた文字と文字との区切りを示す「→」等のキーを押し、その後に「２２２」とキーを押す必要がある。（「２→２２２」）
【０００８】
同様に英字モードに設定した後、「ＡＢ」と入力する際に「２２２」とキーを押すだけでは、「Ｃ」が入力されてしまう。そのため「２」とキーを押した後に、機種によって定められた文字と文字との区切りを示す「→」等のキーを押し、その後に「２２」とキーを押す必要がある。（「２→２２」）
このため効率的な文字入力が難しく、文字入力装置の内部の処理もその分複雑になるという問題が有った。
【０００９】
なお、別のキーに割り当てられた文字を続けて入力する場合には、この「→」等のキーを押す必要は無い。例えば「かさ」と入力するには「２３」とキーを押すだけでよい。
これは押されるキーが変わったことで、文字の区切りを認識しているからである。
本発明では上述した従来の携帯電話装置等の携帯情報端末における文字入力方法の不都合な点を改善すベく、１文字を入力する際のキータッチの回数が一定の、マルチストローク方式文字入力方法に着目した。
【００１０】
ここで、「マルチストローク」とは規則的な一連のキーの反復操作をいい、「ストローク」とは規則的な一連のキーの反復操作のうちの一操作をいう。
また、「第１タッチ・キー」とは１番目にタッチの対象となるキーをいい、「第２タッチ・キー」とは２番目にタッチの対象となるキーをいう。
【００１１】
上記マルチストローク方式の文字入力方法では、各文字を入力するためのキータッチの回数は一定となる。例えば、２ストロークの場合では、各文字を入力するためのキータッチの回数は２回で一定である。この場合には、第１タッチ・キーと第２タッチ・キーの組み合わせに対して、一意に入力文字が確定でき、連続した文字の入力とその処理も簡単化できる。
【００１２】
つまり、例えば「２２２３３３３４」と合計８回のキータッチがあれば、先頭から順に「２２」が第１の入力文字、「２３」が第２の入力文字、「３３」が第３の入力文字、「３４」が第４の入力文字として扱い、各々について事前に定義されたタッチ・キーの組み合わせ（文字コード）と照合することで、入力文字を確定することができる。
しかしながら、この方法の大きな欠点としては、各文字に定義されたタッチ・キーの組み合わせ（文字コード）を記憶するのが一般には困難なことである。
【００１３】
例えば、文字コード表を傍らに置き、それを逐一見ながらキータッチするということも、非現実的である。そのため、現在では、ほとんど使用されていないと思われる。
また、音楽用ＭＤ（ミニディスク）レコーダにおいては、ＭＤ内に音楽を録音するとともに、曲のタイトル等を表す文字列を入力しこれも一緒に記録することができるが、コスト面や実装面での制約から文字入力のための専用のキーを備えている機器はほとんど無く、例えば、ボリューム等のつまみを回転させて１文字ずつ選択して確定していく等の方法があるが、一般に入力に時間がかかり操作性が悪いという問題がある。
本発明はこのような事情に鑑みてなされたものであり、マルチストローク方式のキータッチを容易にすることができる文字ラベルの配置方法と、それに基づく文字入力方法及び文字入力装置を提供することを目的とする。
【００１４】
【課題を解決するための手段】
上記目的を達成するために請求項１に記載の発明は、各文字の入力を操作入力部に配置されたＮ個のキーを用いて各文字に対応して定められた第１と第２のタッチ・キーによる２回のキータッチ操作により行う２ストローク方式の文字入力装置であって、前記操作入力部には、入力文字と第１と第２のタッチ・キーとの対応関係を示す入力文字コード表において同一の第１のタッチ・キーに設定された各入力文字群毎に、それらの文字を示す文字ラベルが該設定された第１タッチ・キーに相当するキーの上面または近傍にＮ個ずつ配置されると共に、前記Ｎ個の文字ラベルの配置における各文字ラベルの位置を前記Ｎ個のキー全体の配置における各入力文字の第２タッチ・キーに相当するキーの位置に対応させ、前記文字ラベルに示される入力文字に対応して定められた一連のタッチ・キーが全て同一のキーである入力文字を示す文字ラベルが、他の文字ラベルより強調するように表示されたことを特徴とする。
【００１５】
また、請求項２に記載の発明は、請求項１に記載の文字入力装置における文字入力方法であって、最初に、入力すべき文字を示す文字ラベルを含むＮ個の文字ラベルが配置されたキーを第１タッチ・キーとしてキータッチ操作し、次いで、Ｎ個のキー全体の配置における、前記Ｎ個の文字ラベルの配置における前記入力すべき文字を示す文字ラベルの位置に対応する位置のキーを第２タッチ・キーとしてキータッチ操作することにより文字入力することを特徴とする。
【００１６】
また、請求項３に記載の発明は、各文字の入力を操作入力部に配置されたＮ個のキーを用いて各文字に対応して定められた第１と第２と第３のタッチ・キーによる３回のキータッチ操作により行う３ストローク方式の文字入力装置であって、入力文字と第１と第２と第３のタッチ・キーとの対応関係を示す入力文字コード表における各入力文字を示す文字ラベルが各入力文字の第１タッチ・キーに相当するキーの上面または近傍にＮ×Ｎ個ずつ配置されると共に、前記Ｎ×Ｎ個の文字ラベルの配置における各文字ラベルの位置が前記Ｎ個のキー全体の配置における各入力文字の第２タッチ・キーに相当するキーの位置に対応させてＮ個ずつまとめて配置されると共に、更に前記Ｎ個の文字ラベルの配置における各文字ラベルの位置を前記Ｎ個のキー全体の配置における各入力文字の第３タッチ・キーに相当するキーの位置に対応させたことを特徴とする。
【００１７】
また、請求項４に記載の発明は、請求項３に記載の文字入力装置における文字入力方法であって、最初に、入力すベき文字を示す文字ラベルを含むＮ×Ｎ個の文字ラベルが配置されたキーを第１タッチ・キーとしてキータッチ操作し、次いで、Ｎ個のキー全体の配置における、前記Ｎ×Ｎ個の文字ラベルの配置における前記入力すベき文字を示す文字ラベルを含むＮ個の文字ラベルの位置に対応する位置のキーを第２タッチ・キーとしてキータッチ操作し、最後に、Ｎ個のキー全体の配置における、前記Ｎ個の文字ラベルの配置における前記入力すベき文字を示す文字ラベルの位置に対応する位置のキーを第３タッチ・キーとしてキータッチ操作することにより文字入力することを特徴とする。
【００２０】
また、請求項５に記載の発明は、請求項３に記載の文字入力装置において、各キーに配置される文字ラベルにおいて、前記文字ラベルに示される入力文字に対応して定められた一連のタッチ・キーが全て同一のキーである入力文字を示す文字ラベルが、他の文字ラベルより強調するように表示されたことを特徴とする。
【００２２】
【発明の実施の形態】
以下、本発明の実施の形態を、図面を参照して詳細に説明する。本発明が適用される携帯情報端末の一例として、携帯電話装置の電気的構成を図３に示す。同図において、携帯電話装置１は、各種プログラムを実行することにより電話機、あるいは、ゲーム機、音楽再生機等としての機能を有するように各部の動作を制御するＣＰＵ１００と、各種プログラム及び固定データが格納されるＲＯＭ１０２と、ＲＡＭ１０４と、操作入力部１０６と、バイブレータ１０８と、無線通信部１１２と、音声コーデック（ＣＯＤＥＣ）１１４と、楽曲再生部１１６と、表示部１１８と、インターフェース（Ｉ／Ｆ）１２０と、マイク１２２と、受話用スピーカ１２４と、着信用スピーカ１２６とを有している。
【００２３】
ＲＯＭ１０２には、各種プログラムの他に、着信メロディ用の楽曲シーケンスデータ等の固定データや、ゲームソフト等のアプリケーションプログラムが記憶されている。
また、ＲＡＭ１０４には、インターネット等のネットワークを介してダウンロードした各種データ、またはインターフェース１２０を介して外部のオーディオ機器から取り込んだ楽曲データが格納されるようになっている。
【００２４】
操作入力部１０６は、通話を開始する際に使用する開始キー、通話を終了する終了キー、数字キー、各種機能キー、電源キー等から構成されている。
無線通信部１１２は、アンテナ２０を介して受信する信号を復調し、外部に送信する信号を変調してアンテナ２０を介して送信する。
音声ＣＯＤＥＣ １１４は、無線通信部１１２から受け取った音声信号を復号して受話用スピーカ１２４に出力し、マイク１２２から入力された音声信号を圧縮符号化して無線通信部１１２に送出する。
【００２５】
楽曲再生部１１６は、着信時に着信を報知する着信メロディとしての楽曲を再生して着信用スピーカ１２６に出力し、あるいはＲＯＭ１０２またはＲＡＭ１０４に格納された楽曲データに基づいて楽曲を再生する。
表示部１１８は、各種データを表示する、例えば、液晶ディスプレイ（ＬＣＤ）である。インターフェース（Ｉ／Ｆ）１２０の入力端は、図示してない入力端子に接続されており、該入力端子を介して外部のオーディオ機器と接続して所望の楽曲データをＲＡＭ１０４に格納することができるようになっている。
【００２６】
ＣＰＵ１００、ＲＯＭ１０２、ＲＡＭ１０４、操作入力部１０６、バイブレータ１０８、無線通信部１１２、音声ＣＯＤＥＣ １１４、楽曲再生部１１６、表示部１１８及びインターフェース（Ｉ／Ｆ）１２０は、バス９０を介して相互に接続されている。
【００２７】
次に、本発明の実施の形態に係る文字入力方法について説明する。本発明の実施の形態に係る文字入力方法は、例えば、図１に示した文字入力装置としての携帯電話装置１の操作入力部１０６により実施される。
一般にマルチストローク方式文字入力方法としては、入力に使用するキーの数と、１文字を入力するために必要なキータッチの回数（ストローク数）との組み合わせにより無限に考えられる。本発明の実施の形態では、（１）キー数３、ストローク数２、（２）キー数３、ストローク数３、（３）キー数４、ストローク数２、（４）キー数５、ストローク数２の場合を例にとり、説明する。
【００２８】
キー数あるいはストローク数のいずれかもしくは双方の数を増やせば、組み合わせ数の増大に伴い、入力可能な文字の数は増大することになる。
しかしながら、実際の操作入力部における操作性の観点からは、せいぜいストローク数３が限度であり、更には入力操作を極力容易にするという観点からは、ストローク数２が実用的と考えられる。
しかし、以下で説明する本発明の実施の形態に係る文字入力方法は、原理的にはストローク数に制限は無く、４ストローク以上にでも、容易に拡張は可能である。
【００２９】
本発明の第１実施形態に係る文字入力方法を、図４乃至図６を参照して説明する。第１実施形態に係る文字入力方法は、３キー、２ストロークのマルチストローク方式による文字入力方法である。ここで、３キー、２ストロークのマルチストローク方式とは、３つのキーで、かつ２ストロークで文字入力を行うマルチストローク方式であることを意味する。３キー、２ストロークのマルチストローク方式では入力可能な最大文字数はキー数をｎｋ，ストローク数をｎｓとすると、ｎｋのｎｓ乗であるから、３2＝９となる。
【００３０】
図４は入力文字コード表の内容を示し、図５は入力文字コード表に基づく文字ラベルの配置例を、図６は文字入力方法を、それぞれ示している。図４に示す入力文字コード表は、入力文字Ａ〜Ｉの各文字に対応して、各文字を入力するのに必要な第１タッチ・キーと、第２タッチ・キーとの関係を示している。操作入力部１０６における文字入力に使用されるキーは、本実施の形態では、図５に示すようにキーＫ１、Ｋ２、Ｋ３の３つである。
【００３１】
次に、２ストローク文字入力方法に対応した文字ラベル配置方法について説明する。
本実施の形態のみならず、他の実施の形態でも同様であるが、各キーに配置された文字ラベル群における各文字ラベルの配置位置は、全てのキーの配置位置に対応づけられている。
【００３２】
すなわち、キー数ｎｋをｎｋ＝３とした場合、ｉを（１≦ｉ≦ｎｋ＝３）とする。キー全体の配置における各キーＫｉの位置を各々ＬＫｉと定義する。
そして、図４に示す入力文字コード表における第１タッチ・キーがＫｉの文字群毎に、それらの文字を表すラベルを各々キーＫｉの上面又は近傍に配置する。その際に、入力文字コード表における第２タッチ・キーがＫｉの文字毎に、その配置位置内における各々キー位置ＬＫｉに対応した位置に配置する。
【００３３】
上述した文字ラベル配置方法により図４に示す入力文字コード表に基づいた文字ラベル配置例について以下、具体的に説明する。
（１）キー全体の配置におけるキーＫ１の位置をＬＫ１（＝左側）と定義する。
（２）キー全体の配置におけるキーＫ２の位置をＬＫ２（＝中側）と定義する。
（３）キー全体の配置におけるキーＫ３の位置をＬＫ３（＝右側）と定義する。
【００３４】
次に、第１タッチ・キーがＫ１の文字群（＝ＡＢＣ）の文字ラベルをキーＫ１の上面又は近傍に配置する。
その際に、
（１）第２タッチ・キーがＫ１の文字（＝Ａ）のラベルを、左側に配置する。
（２）第２タッチ・キーがＫ２の文字（＝Ｂ）のラベルを、中側に配置する。
（３）第２タッチ・キーがＫ３の文字（＝Ｃ）のラベルを、右側に配置する。
【００３５】
第１タッチ・キーがＫ２の文字群（＝ＤＥＦ）の文字ラベルをキーＫ２の上面又は近傍に配置する。
その際に、
（１）第２タッチ・キーがＫ１の文字（＝Ｄ）のラベルを、左側に配置する。
（２）第２タッチ・キーがＫ２の文字（＝Ｅ）のラベルを、中側に配置する。
（３）第２タッチ・キーがＫ３の文字（＝Ｆ）のラベルを、右側に配置する。
【００３６】
第１タッチ・キーがＫ３の文字群（＝ＧＨＩ）の文字ラベルをキーＫ３の上面又は近傍に配置する。
その際に、
（１）第２タッチ・キーがＫ１の文字（＝Ｇ）のラベルを、左側に配置する。
（２）第２タッチ・キーがＫ２の文字（＝Ｈ）のラベルを、中側に配置する。
（３）第２タッチ・キーがＫ３の文字（＝Ｉ）のラベルを、右側に配置する。
以上により図４に示す入力文字コード表に基づいた文字ラベル配置は図５に示すようになる。
【００３７】
次に、図５に示した文字ラベル配置に基づいた２ストローク文字入力例について図６を参照して説明する。この例では文字（Ｆ）を入力する場合を例にとり説明する。まず、ステップ１として、入力する所望の文字（Ｆ）を含むラベル（ＤＥＦ）が配置されたキーＫ２（第１タッチ・キー）を押す（図６（Ａ））。
【００３８】
次に、ステップ２では、第１タッチ・キー（Ｋ２）に配置されたラベル（ＤＥＦ）に関して、配置された位置（左側、中側、右側）により３つに分け、それぞれをキー全体におけるその配置位置に対応したキーに（意識上で）配置する（図６（Ｂ））。
所望の文字（Ｆ）のラベルが配置されたキーＫ３（第２タッチ・キー）を押す。
以上の入力操作により文字Ｆが入力される。
【００３９】
次に、本発明の第２実施形態に係る文字入力方法を、図７乃至図９を参照して説明する。第２実施形態に係る文字入力方法は、３キー、３ストロークのマルチストローク方式による文字入力方法である。ここで、３キー、３ストロークのマルチストローク方式とは、３つのキーで、かつ３ストロークで文字入力を行うマルチストローク方式であることを意味する。３キー、３ストロークのマルチストローク方式では入力可能な最大文字数はキー数をｎｋ，ストローク数をｎｓとすると、ｎｋのｎｓ乗であるから、３3＝２７となる。
【００４０】
図７は入力文字コード表の内容を示し、図８は入力文字コード表に基づく文字ラベルの配置例を、図９は文字入力方法を、それぞれ示している。図７に示す入力文字コード表は、入力文字Ａ〜＠の各文字に対応して、各文字を入力するのに必要な第１タッチ・キー、第２タッチ・キー及び第３タッチ・キーとの関係を示している。操作入力部１０６における文字入力に使用されるキーは、本実施の形態では、図８に示すようにキーＫ１、Ｋ２、Ｋ３の３つである。
【００４１】
次に、３ストローク文字入力方法に対応した文字ラベル配置方法について説明する。
キー数ｎｋをｎｋ＝３とした場合、ｉを（１≦ｉ≦ｎｋ＝３）とする。
キー全体の配置における各キーＫｉの位置を各々ＬＫｉと定義する。
そして、図７に示す入力文字コード表における第１タッチ・キーがＫｉの文字群毎に、それらの文字を表すラベルを各々キーＫｉの上面又は近傍に配置する。
【００４２】
その際に、入力文字コード表における第２タッチ・キーがＫｉの文字群毎に、その配置位置内における各々ＬＫｉに対応した位置に配置する。
更に、その際に、入力文字コード表における第３タッチ・キーがＫｉの文字毎に、更にその配置位置内における各々ＬＫｉに対応した位置に配置する。
【００４３】
上述した文字ラベル配置方法により図７に示す入力文字コード表に基づいた文字ラベル配置例について以下、具体的に説明する。
（１）キー全体の配置におけるキーＫ１の位置をＬＫ１（＝左側）と定義する。
（２）キー全体の配置におけるキーＫ２の位置をＬＫ２（＝中側）と定義する。
（３）キー全体の配置におけるキーＫ３の位置をＬＫ３（＝右側）と定義する。
【００４４】
第１タッチ・キーがＫ１の文字群（＝ＡＢＣＤＥＦＧＨＩ）の文字ラベルをキーＫ１の上面又は近傍に配置する。その際に、
（１）第２タッチ・キーがＫ１の文字群（＝ＡＢＣ）の文字ラベルをキーＫ１の左側に配置する。
更にその際に、
ｉ）第３タッチ・キーがＫ１の文字（＝Ａ）のラベルを、左側に配置する。
ii）第３タッチ・キーがＫ２の文字（＝Ｂ）のラベルを、中側に配置する。
iii)第３タッチ・キーがＫ３の文字（＝Ｃ）のラベルを、右側に配置する。
【００４５】
次に、（２）第２タッチ・キーがＫ２の文字群（＝ＤＥＦ）の文字ラベルをキーＫ１の中側に配置する。
更にその際に、
ｉ）第３タッチ・キーがＫ１の文字（＝Ｄ）のラベルを、左側に配置する。
ii）第３タッチ・キーがＫ２の文字（＝Ｅ）のラベルを、中側に配置する。
iii)第３タッチ・キーがＫ３の文字（＝Ｆ）のラベルを、右側に配置する。
【００４６】
（３）第２タッチ・キーがＫ３の文字群（＝ＧＨＩ）の文字ラベルをキーＫ１の右側に配置する。
更にその際に、
ｉ）第３タッチ・キーがＫ１の文字（＝Ｇ）のラベルを、左側に配置する。
ii）第３タッチ・キーがＫ２の文字（＝Ｈ）のラベルを、中側に配置する。
iii)第３タッチ・キーがＫ３の文字（＝Ｉ）のラベルを、右側に配置する。
【００４７】
第１タッチ・キーがＫ２の文字群（＝ＪＫＬＭＮＯＰＱＲ）の文字ラベルをキーＫ２の上面又は近傍に配置する。その際に、
（１）第２タッチ・キーがＫ１の文字群（＝ＪＫＬ）の文字ラベルをキーＫ２の左側に配置する。
更にその際に、
ｉ）第３タッチ・キーがＫ１の文字（＝Ｊ）のラベルを、左側に配置する。
ii）第３タッチ・キーがＫ２の文字（＝Ｋ）のラベルを、中側に配置する。
iii)第３タッチ・キーがＫ３の文字（＝Ｌ）のラベルを、右側に配置する。
【００４８】
（２）第２タッチ・キーがＫ２の文字群（＝ＭＮＯ）の文字ラベルをキーＫ２の中側に配置する。
更にその際に、
ｉ）第３タッチ・キーがＫ１の文字（＝Ｍ）のラベルを、左側に配置する。
ii）第３タッチ・キーがＫ２の文字（＝Ｎ）のラベルを、中側に配置する。
iii)第３タッチ・キーがＫ３の文字（＝Ｏ）のラベルを、右側に配置する。
【００４９】
（３）第２タッチ・キーがＫ３の文字群（＝ＰＱＲ）の文字ラベルをキーＫ２の右側に配置する。
更にその際に、
ｉ）第３タッチ・キーがＫ１の文字（＝Ｐ）のラベルを、左側に配置する。
ii）第３タッチ・キーがＫ２の文字（＝Ｑ）のラベルを、中側に配置する。
iii)第３タッチ・キーがＫ３の文字（＝Ｒ）のラベルを、右側に配置する。
【００５０】
第１タッチ・キーがＫ３の文字群（＝ＳＴＵＶＷＸＹＺ＠）の文字ラベルをキーＫ３の上面又は近傍に配置する。その際に、
（１）第２タッチ・キーがＫ１の文字群（＝ＳＴＵ）の文字ラベルをキーＫ３の左側に配置する。
更にその際に、
ｉ）第３タッチ・キーがＫ１の文字（＝Ｓ）のラベルを、左側に配置する。
ii）第３タッチ・キーがＫ２の文字（＝Ｔ）のラベルを、中側に配置する。
iii)第３タッチ・キーがＫ３の文字（＝Ｕ）のラベルを、右側に配置する。
【００５１】
（２）第２タッチ・キーがＫ２の文字群（＝ＶＷＸ）の文字ラベルをキーＫ３の中側に配置する。
更にその際に、
ｉ）第３タッチ・キーがＫ１の文字（＝Ｖ）のラベルを、左側に配置する。
ii）第３タッチ・キーがＫ２の文字（＝Ｗ）のラベルを、中側に配置する。
iii)第３タッチ・キーがＫ３の文字（＝Ｘ）のラベルを、右側に配置する。
【００５２】
（３）第２タッチ・キーがＫ３の文字群（＝ＹＺ＠）の文字ラベルをキーＫ３の右側に配置する。
更にその際に、
ｉ）第３タッチ・キーがＫ１の文字（＝Ｙ）のラベルを、左側に配置する。
ii）第３タッチ・キーがＫ２の文字（＝Ｚ）のラベルを、中側に配置する。
iii)第３タッチ・キーがＫ３の文字（＝＠）のラベルを、右側に配置する。
以上により図７に示す入力文字コード表に基づいた文字ラベル配置は図８に示すようになる。
【００５３】
次に、図８に示した文字ラベル配置に基づいた３ストローク文字入力例について図９を参照して説明する。この例では文字（Ｖ）を入力する場合を例にとり説明する。
まず、ステップ１として、入力する所望の文字（Ｖ）を含むラベル（ＳＴＵ ＶＷＸ ＹＺ＠）が配置されたキーＫ３（第１タッチ・キー）を押す（図９（Ａ））。
【００５４】
次いで、ステップ２では、第１タッチ・キー（Ｋ３）に配置されたラベル（ＳＴＵ ＶＷＸ ＹＺ＠）に関して、配置された位置（左側、中側、右側）により（ＳＴＵ）と（ＶＷＸ）と（ＹＺ＠）の３群に分け、それぞれをキー全体におけるその配置位置に対応したキー対して、更にその中における配置位置（左側、中側、右側）を保ちながら、（意識上で）配置する（図９（Ｂ））。
次いで、所望の文字（Ｖ）を含むラベル（ＶＷＸ）が配置されたキーＫ２（第２タッチ・キー）を押す。
【００５５】
更に、ステップ３では、第２タッチ・キー（Ｋ２）に意識上で配置されたラベル（ＶＷＸ）に関して、配置された位置（左側、中側、右側）により３つに分け、それぞれをキー全体におけるその配置位置に対応したキーに（意識上で）配置する（図９（Ｃ））。
所望の文字（Ｖ）のラベルが配置されたキーＫ１（第３タッチ・キー）を押す。
以上の入力操作により文字（Ｖ）が入力される。
【００５６】
次に、本発明の第３実施形態に係る文字入力方法を、図１０及び図１１を参照して説明する。第３実施形態に係る文字入力方法は、４キー、２ストロークのマルチストローク方式による文字入力方法である。ここで、４キー、２ストロークのマルチストローク方式とは、４つのキーで、かつ２ストロークで文字入力を行うマルチストローク方式であることを意味する。４キー、２ストロークのマルチストローク方式では入力可能な最大文字数はキー数をｎｋ，ストローク数をｎｓとすると、ｎｋのｎｓ乗であるから、４2＝１６となる。
【００５７】
図１０は入力文字コード表の内容を示し、図１１は入力文字コード表に基づく文字ラベルの配置例を、それぞれ示している。図１０に示す入力文字コード表は、この場合は入力したい文字の数が少なく、一部のタッチ・キーの組み合わせに対しては入力文字が定義されていない例であり、各入力文字と、各文字を入力するのに必要な第１タッチ・キー及び第２タッチ・キーとの関係を示している。操作入力部１０６における文字入力に使用されるキーは、本実施の形態では、図１１に示すように４つの矢印キーＸ１、Ｘ２、Ｘ３、Ｘ４の４つである。
【００５８】
次に、図１０の入力文字コード表に基づいた文字ラベル配置例について具体的に説明する。
（１）キー全体の配置における左矢印キーＸ１の位置を左側と定義する。
（２）キー全体の配置における上矢印キーＸ２の位置を上側と定義する。
（３）キー全体の配置における右矢印キーＸ３の位置を右側と定義する。
（４）キー全体の配置における下矢印キーＸ４の位置を下側と定義する。
【００５９】
図１０の入力文字コード表において、第１タッチ・キーが左矢印キーＸ１の文字群（＝１２３）の文字ラベルを左矢印キーＸ１の上面又は近傍に配置する。その際に、
ｉ）第２タッチ・キーが左矢印キーＸ１の文字（＝１）のラベルを、左側に配置する。
ii）第２タッチ・キーが上矢印キーＸ２の文字（＝２）のラベルを、上側に配置する。
iii)第２タッチ・キーが右矢印キーＸ３の文字（＝３）のラベルを、右側に配置する。
【００６０】
第１タッチ・キーが上矢印キーＸ２の文字群（＝４５６）の文字ラベルを上矢印キーＸ２の上面又は近傍に配置する。その際に、
ｉ）第２タッチ・キーが左矢印キーＸ１の文字（＝４）のラベルを、左側に配置する。
ii）第２タッチ・キーが上矢印キーＸ２の文字（＝５）のラベルを、上側に配置する。
iii)第２タッチ・キーが右矢印キーＸ３の文字（＝６）のラベルを、右側に配置する。
【００６１】
第１タッチ・キーが右矢印キーＸ３の文字群（＝７８９）の文字ラベルを右矢印キーＸ３の上面又は近傍に配置する。その際に、
ｉ）第２タッチ・キーが左矢印キーＸ１の文字（＝７）のラベルを、左側に配置する。
ii）第２タッチ・キーが上矢印キーＸ２の文字（＝８）のラベルを、上側に配置する。
iii)第２タッチ・キーが右矢印キ−Ｘ３の文字（＝９）のラベルを、右側に配置する。
【００６２】
第１タッチ・キーが下矢印キーＸ４の文字群（＝＊＃０）の文字ラベルを下矢印キーＸ４の上面又は近傍に配置する。その際に、
ｉ）第２タッチ・キーが左矢印キーＸ１の文字（＝＊）のラベルを、左側に配置する。
ii）第２タッチ・キーが右矢印キーＸ３の文字（＝＃）のラベルを、右側に配置する。
iii)第２タッチ・キーが下矢印キーＸ４の文字（＝０）のラベルを、下側に配置する。
【００６３】
次に、図１１に示した文字ラベル配置に基づいた２ストローク文字入力例について説明する。この例では文字（７）を入力する場合を例にとり説明する。
まず、ステップ１では、入力する所望の文字（７）を含むラべル（７８９）が配置された右矢印キーＸ３（第１タッチ・キー）を押す。
【００６４】
次いで、ステップ２では、第１タッチ・キー（右矢印キーＸ３）に配置されたラべル（７８９）に関して、配置された位置（左側、上側、右側）により３つに分け、それぞれをキー全体（キーＸ１〜Ｘ４）におけるその配置位置に対応したキーに（意識上で）配置する。
そして、キー全体（キーＸ１〜Ｘ４）におけるその配置位置に対応して所望の文字（７）のラべルが配置された左矢印キーＸ１（第２タッチ・キー）を押す。
以上の入力操作により文字（７）が入力される。
【００６５】
なお、図１１に示すように、第１タッチ・キーと第２タッチ・キーとが同一の文字のラベル、すなわち、１、５、９、０の文字については他の文字より太字にし、かつ大きくすることにより強調して表示してある。
それらの強調された文字を入力する際には、ラベルが配置されたキー（第１タッチ・キー）を２度続けて押すだけでよい。
【００６６】
そのため、入力操作をするのに指を移動させる必要も無く、素早い入力が可能である。
ラベルを強調することの、もう一つの利点として、ステップ２の（第１タッチ・キーに配置された複数のラベルを、キー全体におけるその配置位置に対応したキーに意識上で配置（展開）する）という操作をやり易くする効果がある。つまり、強調して配置された文字ラベルはそのキー自体に配置（固定）してこれを中心に据えるイメージで、残りの文字ラベルを他のキーに（意識上で）配置（展開）すればよい。
【００６７】
なお、３ストローク文字入力の場合は、第１タッチ・キーと第２タッチ・キーと第３タッチ・キーが同一の文字のラベルを、他より強調すればよい。ここで、文字の強調は、文字を大きくする、太くする等の他に、色を変える等、とにかく他の文字、記号より強調できるものであれば何でもよい。
【００６８】
次に、本発明の第４実施形態に係る文字入力方法を、図１２及び図１３を参照して説明する。第４実施形態に係る文字入力方法は、４キー、２ストロークのマルチストローク方式による文字入力方法である。図１２は入力文字コード表の内容を示し、図１３は入力文字コード表に基づく文字ラベルの配置例を、それぞれ示している。図１３に示す上の行のキー（１，２，３，４）と下の行のキー（５，６，７，８）とで、操作を簡単化するために、２行に関わる２ストロークのキータッチを避ける目的で、図１２に示す２つの入力文字コード表（Ａ），（Ｂ）では４個のキーからなる行単位で文字コードを定義している。
なお、２つの入力文字コード表（Ａ），（Ｂ）を一体化し、２行に関わるタッチ・キーの組み合わせ（１５，１６，…，５１，５２，…等）に対する入力文字は「未定義」としてもよい。
【００６９】
本実施形態に係る４キー、２ストロークのマルチストローク方式の文字入力方法では、入力可能な最大文字数はキー数をｎｋ，ストローク数をｎｓとすると、ｎｋのｎｓ乗であるから、１行のキー群については４2＝１６となり、２行のキー群を使用することにより３２の文字を入力することが可能となる。操作入力部１０６における文字入力に使用されるキーは、本実施の形態において、上の行のキー（１，２，３，４）と下の行のキー（５，６，７，８）の８つである。
上述した入力文字コード表に基づく文字ラベル配置方法は、第１の実施の形態と同様である。すなわち、キー数ｎｋをｎｋ＝４とした場合、ｉを（１≦ｉ≦ｎｋ＝４）とし、キー全体の配置における各キーＫｉの位置を各々ＬＫｉと定義する。
【００７０】
図１２に示す入力文字コード表における第１タッチ・キーがＫｉの文字群毎に、それらの文字を表すラベルを各々キーＫｉの上面又は近傍に配置する。
その際に、入力文字コード表における第２タッチ・キーがＫｉの文字毎に、その配置位置内における各々キー位置ＬＫｉに対応した位置に配置する。このようにキー（１，２，３，４）、キー（５，６，７，８）を行ごとに配置することにより図１３に示すように各キーに対して文字ラベルが配置される。
【００７１】
文字入力に際しては、キー（１，２，３，４）に対して入力文字コード表（Ａ）を適用し、キー（５，６，７，８）に対して入力文字コード表（Ｂ）を適用して第１タッチ・キーと第２タッチ・キーの組み合わせによる２ストロークのキー操作により各文字の入力を行う。具体的な入力手順は第１実施形態と同様であるので、説明を省略する。
【００７２】
図１４は、図１３に示した文字ラベル配置の変形例である。図１３では、行の並びに配置されたキーに対応して文字ラベルが行の並びに配置された例を示したが、図１４では、列の並びに配置されたキーに対応して文字ラベルが行の並びに配置された例を示している。図１４に示す文字ラベルの配置例は、携帯電話装置のような縦長の箇体への実装を想定したものである。
【００７３】
次に、本発明の第５実施形態に係る文字入力方法を、図１５及び図１６を参照して説明する。第５実施形態に係る文字入力方法は、５キー、２ストロークのマルチストローク方式による文字入力方法である。図１５は入力文字コード表の内容を示し、図１６は入力文字コード表に基づく文字ラベルの配置例を、それぞれ示している。
【００７４】
図１６に示す上の行のキー（１，２，３，４，５）と下の行のキー（６，７，８，９，０）とで、操作を簡単化するために、２行に関わる２ストロークのキータッチを避ける目的で、図１５に示す２つの入力文字コード表（Ａ），（Ｂ）では５個のキーからなる行単位で文字コードを定義している。
なお、２つの入力文字コード表（Ａ），（Ｂ）を一体化し、２行に関わるタッチ・キーの組み合わせ（１６，１７，…，６１，６２，…等）に対する入力文字は「未定義」としてもよい。
【００７５】
本実施形態に係る５キー、２ストロークのマルチストローク方式の文字入力方法では、入力可能な最大文字数はキー数をｎｋ，ストローク数をｎｓとすると、ｎｋのｎｓ乗であるから、１行のキー群については５2＝２５となり、２行のキー群を使用することにより５０の文字を入力することが可能となる。操作入力部１０６における文字入力に使用されるキーは、本実施の形態において、上の行のキー（１，２，３，４，５）と下の行のキー（６，７，８，９，０）の１０個のキーである。
上述した入力文字コード表に基づく文字ラベル配置方法は、第１の実施の形態と同様である。すなわち、キー数ｎｋをｎｋ＝５とした場合、ｉを（１≦ｉ≦ｎｋ＝５）とし、キー全体の配置における各キーＫｉの位置を各々ＬＫｉと定義する。
【００７６】
図１５に示す入力文字コード表における第１タッチ・キーがＫｉの文字群毎に、それらの文字を表すラベルを各々キーＫｉの上面又は近傍に配置する。
その際に、入力文字コード表における第２タッチ・キーがＫｉの文字毎に、その配置位置内における各々キー位置ＬＫｉに対応した位置に配置する。このようにキー（１，２，３，４，５）、キー（６，７，８，９，０）を行ごとに配置することにより図１６に示すように各キーに対して文字ラベルが配置される。
【００７７】
文字入力に際しては、キー（１，２，３，４，５）に対して入力文字コード表（Ａ）を適用し、キー（６，７，８，９，０）に対して入力文字コード表（Ｂ）を適用して第１タッチ・キーと第２タッチ・キーの組み合わせによる２ストロークのキー操作により各文字の入力を行う。具体的な入力手順は第１実施形態と同様であるので、説明を省略する。
【００７８】
図１７は、図１６に示した文字ラベル配置の変形例である。図１６では、行の並びに配置されたキーに対応して文字ラベルが行の並びに配置された例を示したが、図１７では、列の並びに配置されたキーに対応して文字ラベルが行の並びに配置された例を示している。図１７に示す文字ラベルの配置例は、携帯電話装置のような縦長の筐体への実装を想定したものである。
【００７９】
本発明の実施の形態による文字ラベル配置方法によれば、キー入力する際に、入力文字コード表を参照する必要がないので、マルチストローク方式のキータッチを容易にすることができる。
本発明の実施の形態による文字入力方法によれば、上記文字ラベル配置方法により文字ラベルが配置されるので、マルチストローク方式のキータッチを容易にすることができる。
【００８０】
本発明の実施の形態による文字入力装置によれば、上記文字ラベル配置方法により文字ラベルが各キーに対して配置された操作入力部を有するので、マルチストローク方式のキータッチを容易にすることができる。
【００８１】
【発明の効果】
本発明に係る文字ラベル配置方法によれば、各文字の入力を操作入力部に配置されたＮ個のキーを用いて各文字に対応して定められた第１と第２のタッチ・キーによる２回のキータッチ操作により行う２ストローク方式の文字入力装置の前記操作入力部に配置されたＮ個のキーに対応させて入力文字を示す文字ラベルを配置する場合において、入力文字と第１と第２のタッチ・キーとの対応関係を示す入力文字コード表における各入力文字を示す文字ラベルを各入力文字の第１タッチ・キーに相当するキーの上面または近傍にＮ個ずつ配置すると共に、前記Ｎ個の文字ラベルの配置における各文字ラベルの位置が前記Ｎ個のキー全体の配置における各入力文字の第２タッチ・キーに相当するキーの位置に対応するように配置される。
【００８２】
また、各文字の入力を操作入力部に配置されたＮ個のキーを用いて各文字に対応して定められた第１と第２と第３のタッチ・キーによる３回のキータッチ操作により行う３ストローク方式の文字入力装置の前記操作入力部に配置されたＮ個のキーに対応させて入力文字を示す文字ラベルを配置する場合において、入力文字と第１と第２と第３のタッチ・キーとの対応関係を示す入力文字コード表における各入力文字を示す文字ラベルを各入力文字の第１タッチ・キーに相当するキーの上面または近傍にＮ×Ｎ個ずつ配置し、かつ前記Ｎ×Ｎ個の文字ラベルの配置における各文字ラベルの位置を前記Ｎ個のキー全体の配置における各入力文字の第２タッチ・キーに相当するキーの位置に対応させてＮ個ずつまとめて配置すると共に、更に前記Ｎ個の文字ラベルの配置における各文字ラベルの位置が前記Ｎ個のキー全体の配置における各入力文字の第３タッチ・キーに相当するキーの位置に対応するように配置される。
【００８３】
さらに、各文字の入力を操作入力部に配置された一定数Ｎ個のキーを用いて各文字に対応して定められた第１，第２，…，第Ｍのタッチ・キーによる一定数Ｍ回のキータッチ操作により行うマルチストローク方式の文字入力装置の前記操作入力部に配置されたＮ個のキーに対応させて入力文字を示す文字ラベルを配置する場合において、入力文字と第１，第２，…，第Ｍのタッチ・キーとの対応関係を示す入力文字コード表における各入力文字を示す文字ラベルを各入カ文字の第１タッチ・キーに相当するキーの上面または近傍にひと纏まりの文字ラベル群として各々配置すると共に、着目する順番の一つ前の順番のタッチ・キーの位置に対応させて配置されたひと纏まりの文字ラベル群内部の配置における各文字ラベルの位置を前記Ｎ個のキー全体の配置における各入力文字の着目する順番のタッチ・キーに相当するキーの位置に対応させて更にひと纏まりの文字ラベル群にして配置すること、あるいはそれが第Ｍ番目の場合には一つの文字ラベルを配置することを、着目するタッチ・キーの順番を第２，第３，…と進めながら第Ｍ番目になるまで繰り返すことにより行う。
したがって、キー入力する際に、文字コード入力表を参照する必要がないので、マルチストローク方式のキータッチを容易にすることができる。
【００８４】
また、本発明に係る文字入力方法によれば、最初に、入力すべき文字を示す文字ラベルを含むＮ個の文字ラベルが配置されたキーを第１タッチ・キーとしてキータッチ操作し、次いで、Ｎ個のキー全体の配置における、前記Ｎ個の文字ラベルの配置における前記入力すべき文字を示す文字ラベルの位置に対応する位置のキーを第２タッチ・キーとしてキータッチ操作することにより文字入力を行う。
【００８５】
また、本発明に係る文字入力方法によれば、最初に、入力すベき文字を示す文字ラベルを含むＮ×Ｎ個の文字ラベルが配置されたキーを第１タッチ・キーとしてキータッチ操作し、次いで、Ｎ個のキー全体の配置における、前記Ｎ×Ｎ個の文字ラベルの配置における前記入力すベき文字を示す文字ラベルを含むＮ個の文字ラベルの位置に対応する位置のキーを第２タッチ・キーとしてキータッチ操作し、最後に、Ｎ個のキー全体の配置における、前記Ｎ個の文字ラベルの配置における前記入力すベき文字を示す文字ラベルの位置に対応する位置のキーを第３タッチ・キーとしてキータッチ操作することにより文字入力を行う。
【００８６】
さらに、本発明に係る文字入力方法によれば、最初に、入力すベき文字を示す文字ラベルを含む文字ラベル群が配置されたキーをキータッチ操作し、次いで、Ｎ個のキー全体の配置における、前記入力すベき文字を示す文字ラベルを含む着目する文字ラベル群における前記入力すベき文字を示す文字ラベルを含むより小さな文字ラベル群あるいは前記入力すべき文字を示す文字ラベルそのものの配置位置に対応する位置のキーをキータッチ操作することを、前記入力すべき文字を示す文字ラベルを含む着目する文字ラベル群として前記キーに配置された文字ラベル群から始めより小さな文字ラベル群に一段階ずつ順に絞り込みながらＮ個の文字ラベルになるまで繰り返すことにより文字入力を行う。
したがって、マルチストローク方式のキータッチを容易にすることができる。
【００８７】
さらに、本発明に係る文字入力装置によれば、上記文字ラベル配置方法により文字ラベルが各キーに対して配置された操作入力部を有するので、マルチストローク方式のキータッチを容易にすることができる。
【図面の簡単な説明】
【図１】  携帯情報端末としての携帯電話装置における操作入力部の外観構成を示す説明図。
【図２】  従来の文字入力方法における入力文字とタッチ・キーとの関係を示す説明図。
【図３】  本発明が適用される携帯情報端末としての携帯電話装置の電気的構成を示す説明図。
【図４】  本発明の第１実施形態に係る文字入力方法に使用される入力文字コード表の内容を示す説明図。
【図５】  図４に示した入力文字コード表に基づく文字ラベルの配置例を示す説明図。
【図６】  本発明の第１実施形態に係る文字入力方法における文字入力の手順を示す説明図。
【図７】  本発明の第２実施形態に係る文字入力方法に使用される入力文字コード表の内容を示す説明図。
【図８】  図７に示した入力文字コード表に基づく文字ラベルの配置例を示す説明図。
【図９】  本発明の第２実施形態に係る文字入力方法における文字入力の手順を示す説明図。
【図１０】  本発明の第３実施形態に係る文字入力方法に使用される入力文字コード表の内容を示す説明図。
【図１１】  図１０に示した入力文字コード表に基づく文字ラベルの配置例を示す説明図。
【図１２】  本発明の第４実施形態に係る文字入力方法に使用される入力文字コード表の内容を示す説明図。
【図１３】  図１２に示した入力文字コード表に基づく文字ラベルの配置例を示す説明図。
【図１４】  図１３に示した文字ラベルの配置例を縦長の筐体に適合するように変更した変形例を示す説明図。
【図１５】  本発明の第５実施形態に係る文字入力方法に使用される入力文字コード表の内容を示す説明図。
【図１６】  図１５に示した入力文字コード表に基づく文字ラベルの配置例を示す説明図。
【図１７】  図１６に示した文字ラベルの配置例を縦長の筐体に適合するように変更した変形例を示す説明図。
【符号の説明】
１…携帯電話装置、２０…アンテナ、９０…バス、１００…ＣＰＵ、１０２…ＲＯＭ、１０４…ＲＡＭ、１０６…操作入力部、１０８…バイブレータ、１１２…無線通信部、１１４…音声ＣＯＤＥＣ、１１６…楽曲再生部、１１８…表示部、１２０…インターフェース、１２２…マイク、１２４…受話用スピーカ、１２６…着信用スピーカ
【図１】
0003826774.tif 000002
【図２】
0003826774.tif 000003
【図３】
0003826774.tif 000004
【図４】
0003826774.tif 000005
【図５】
0003826774.tif 000006
【図６】
0003826774.tif 000007
【図７】
0003826774.tif 000008
【図８】
0003826774.tif 000009
【図９】
0003826774.tif 000010
【図１０】
0003826774.tif 000011
【図１１】
0003826774.tif 000012
【図１２】
0003826774.tif 000013
【図１３】
0003826774.tif 000014
【図１４】
0003826774.tif 000015
【図１５】
0003826774.tif 000016
【図１６】
0003826774.tif 000017
【図１７】
0003826774.tif 000018